(57)【要約】【課題】踏段の後輪が当接するガイドレール全周にわたって踏段を外すことなく給油することができるエスカレータを提供することを課題とする。【解決手段】エスカレータは、無端状に連結された多数の踏段１２と、踏段１２の後輪１４が当接するガイドレール１６と、踏段１２のうち特定の踏段１２ｓの後部側に取付けられ、潤滑用の油を貯留するとともに貯留した油をガイドレール１６に塗布する貯留・塗布手段１８と、特定の踏段１２ｓに踏板２２を装着したまま貯留・塗布手段１８へ油を補充可能な補充手段とを備える。【選択図】図３
2019006598.tif 000002
【特許請求の範囲】
【請求項１】
無端状に連結された多数の踏段と、
前記踏段の後輪が当接するガイドレールと、
前記踏段のうち特定の踏段の後部側に取付けられ、潤滑用の油を貯留するとともに貯留した油を前記ガイドレールに塗布する貯留・塗布手段と、
前記特定の踏段に踏板を装着したまま前記貯留・塗布手段へ油を補充可能な補充手段と
を備えることを特徴とするエスカレータ。
【請求項２】
前記貯留・塗布手段は、
前記補充手段が接続して油が流入する油流入口と、該油流入口から流入した油を貯留する貯留部と、有する給油器と、
前記給油器の底側に取り付けられて前記ガイドレールに接触する油塗布部材と、
前記貯留部から油を前記油塗布部材へ滲み出させる油滲出構造と
を備えることを特徴とする請求項１に記載のエスカレータ。
【請求項３】
前記油滲出構造では、油の滲出速度が調整可能であることを特徴とする請求項２に記載のエスカレータ。
【請求項４】
前記補充手段は、エスカレータ機械室に備えられ、
前記給油器が該エスカレータ機械室の設定位置に位置するときに前記補充手段から前記油流入口へ油が補充可能であることを特徴とする請求項２または３に記載のエスカレータ。
【請求項５】
前記給油器の後部側に、前記ガイドレールを清掃する清掃部材を備えることを特徴とする請求項２〜４の何れか１項に記載のエスカレータ。
【発明の詳細な説明】
【技術分野】
【０００１】
本発明の実施形態は、無端状に連結された多数の踏段と、踏段の後輪が当接するガイドレールとを備えたエスカレータに関する。
【背景技術】
【０００２】
エスカレータには、上階側と下階側とに亘って踏段用のガイドレールが設けられている。そして、踏段の車輪がこのガイドレールを転動しつつ踏段が移動する。そして、ガイドレールと踏段の車輪との間に生じる摩擦力を抑えるために、ガイドレールに定期的に潤滑油を給油している。
【０００３】
ここで、踏段の後輪が当接するガイドレールにこの給油を行う際、通常、踏段を外した開口部から直接にガイドレールに給油し、更に、開口部の位置をずらして給油する、という作業を、２人の作業員が共同作業で繰り返して行っている。
【０００４】
このような給油を行っているので、給油作業に時間がかかっている。しかも、踏段を外した開口部が生じるため作業の安全性確保に充分な注意を払う必要があり、このことは給油作業にかかる時間を更に増大させている。
【０００５】
このため、作業時間を短縮するための提案がいくつかなされている。
【先行技術文献】
【特許文献】
【０００６】
【特許文献１】特開平5-319767号公報
【特許文献２】特開平10-279252号公報
【発明の概要】
【発明が解決しようとする課題】
【０００７】
しかし、踏段の後輪が当接するガイドレール全周にわたって踏段を外すことなく給油することには至っていない。
【０００８】
本発明は上記事情に鑑みてなされたものであり、踏段の後輪が当接するガイドレール全周にわたって踏段を外すことなく給油することができるエスカレータを提供することを課題とする。
【課題を解決するための手段】
【０００９】
本発明の実施形態に係るエスカレータは、無端状に連結された多数の踏段と、前記踏段の後輪が当接するガイドレールと、前記踏段のうち特定の踏段の後部側に取付けられ、潤滑用の油を貯留するとともに貯留した油を前記ガイドレールに塗布する貯留・塗布手段と、前記特定の踏段に踏板を装着したまま前記貯留・塗布手段へ油を補充可能な補充手段とを備える。
【図面の簡単な説明】
【００１０】
【図１】本発明の一実施形態に係るエスカレータの外観を示す全体斜視図。
【図２】本発明の一実施形態に係るエスカレータ構成を示す模式的な側面図。
【図３】本発明の一実施形態に係るエスカレータの踏段を説明する側面図。
【図４】本発明の一実施形態に係るエスカレータで、給油器への給油を説明する模式的な側面図。
【図５】図４で矢視Ｑ−Ｑから見た給油器底面図。
【発明を実施するための形態】
【００１１】
以下、添付図面を参照して、実施形態に係るエスカレータを説明する。図１は、本発明の一実施形態（以下、本実施形態という）に係るエスカレータの外観を示す全体斜視図である。図２は、本実施形態に係るエスカレータ構成を示す模式的な側面図である。図３は、本実施形態に係るエスカレータの踏段を説明する側面図である。図４は、本実施形態に係るエスカレータで、給油器への給油を説明する模式的な側面図である。図５は、図４で矢視Ｑ−Ｑから見た給油器底面図である。
【００１２】
本実施形態に係るエスカレータ１０は、無端状に連結された多数の踏段１２と、踏段１２の後輪１４が当接するガイドレール１６（図３参照）と、踏段１２のうち特定の踏段１２ｓの後部側に取付けられ、潤滑用の油Ｌ（図４参照）を貯留するとともに貯留した油をガイドレール１６に塗布する貯留・塗布手段１８と、特定の踏段１２ｓに踏板２２を装着したまま貯留・塗布手段１８へ油を補充可能な補充手段２４と備える。本実施形態では、特定の踏段１２ｓは、１つであってもよいし、複数であってもよい。また、この特定の踏段１２ｓの構成は他の踏段に比べて同じであってもよいし異ならせてもよい。
【００１３】
本実施形態では、貯留・塗布手段１８は給油器２８（オイラー）を備える。この給油器２８は、補充手段２４が接続して油が流入する油流入口３０と、油流入口３０から流入した油を貯留する貯留部３２と有する。油流入口３０は、補充手段２４が接続したときには開栓状態となり補充手段２４が非接続のときには閉栓状態となる構成であることが好ましい。
【００１４】
また、本実施形態では、給油器２８は、アングル３４によって特定の踏段１２ｓの後部の下部に連結されている。この連結では回動可能に連結された構成であると、特定の踏段１２ｓがガイドレール１６に沿って移動する上で回動の自由度があって好ましい。
【００１５】
更に、貯留・塗布手段１８は、給油器２８の底側に取り付けられてガイドレール１６に接触する油塗布部材３６と、貯留部３２から油を油塗布部材３６へ滲み出させる油滲出構造３８とを備える。
【００１６】
本実施形態では、油塗布部材３６は、安価で簡単に入手し易いフェルト部材３６ｆで構成されている。
【００１７】
また、油滲出構造３８としては、例えば、貯留部３２の底に多数の滲出用の開口４０（図５参照）を備えていて、開口４０の下側に当接しているフェルト部材３６ｆに油が自重で滲出する構成であってもよい。この場合、貯留部３２の底の内側に滲出速度調整用のシート状部材を配置してもよい。
【００１８】
踏段１２は、上記した踏板２２および後輪１４と、踏段側部を構成する踏段支え４２と、前輪用のガイドレール(図示せず)が当接する前輪４４とを備える。
【００１９】
また、本実施形態では、補充手段２４は、エスカレータ機械室Ｒ（図４参照）に備えられており、給油器２８がエスカレータ機械室Ｒの設定位置Ｐに位置するときに補充手段２４から油流入口３０へ油が供給可能になっている。
【００２０】
補充手段２４としては、例えば、給油器２８の油流入口３０に接続可能な接続口４６を有する油補充ライン４８をエスカレータ１０が備えていて、エスカレータ機械室Ｒの設定位置Ｐでは、作業員がこの接続口４６を油流入口３０に接続できる構成であってもよい。また、給油器２８が開閉可能な蓋を備えていて、作業員がこの蓋を開けて油を補充する構成であってもよい。
【００２１】
更には、エスカレータ機械室Ｒで、オペレータが操作ボタンを押すことによって、特定の踏段１２ｓの移動が設定位置Ｐで停止して接続口４６が油流入口３０に自動的に接続されて油が給油器２８に供給される構成になっていてもよい。この場合、オペレータが操作ボタンを押さなくても、設定した日時や時刻に自動的に接続口４６が油流入口３０に接続されて油が供給されるようにしてもよい。
【００２２】
また、補充手段２４は、油を給油器２８に供給する際に、給油器２８に供給すべき油量を自動的に算出して、その算出結果に基づいて供給する構成にすることも可能である。
【００２３】
また、補充手段２４を、エスカレータ機械室Ｒに限らず、他の位置に配置することも可能である。
【００２４】
（作用、効果）
以下、本実施形態の作用、効果を説明する。
【００２５】
エスカレータ１０の稼働時には、後輪１４がガイドレール１６を転動しつつ特定の踏段１２ｓおよび他の踏段が前方Ｆに移動していく。そして、フェルト部材３６ｆの下側から滲出している油（潤滑油）がガイドレール面（後輪１４が当接して転動する面）に塗布されていく。すなわち、踏段１２のうち特定の踏段１２ｓに簡易な構成の貯留・塗布手段１８（給油器２８、フェルト部材３６ｆ、油滲出構造３８）を配置することで、特定の踏段１２ｓがガイドレール１６を移動する際にガイドレール１６に油を塗布していく構成になっている。
【００２６】
従って、給油器２８の貯留部３２には、補充手段２４により油が補充されるので、作業員が踏板２２を外して油を補充する必要はない。そして、特定の踏段１２ｓが周回移動することでフェルト部材３６ｆはガイドレール１６の全周にわたって接触して移動するので、ガイドレール１６全周にわたって油を供給することができる。そして、ガイドレール１６への給油作業にかかる時間が大幅に短縮される。
【００２７】
また、給油作業において踏板２２を外した開口部がエスカレータに生じることもなく、踏板２２を外したときに形成される開口部から小石等が落下して、踏段１２の移動時に異音が発生するコールバックの原因となるおそれもない。このことは、多台数の踏段やエスカレータを設置している設置現場では、特に顕著に奏される。
【００２８】
また、定期的に給油できないことによってガイドレール１６が乾いてしまい後輪１４の動きが悪くなって異音が発生する、ということが回避される効果も奏される。
【００２９】
また、油滲出構造３８としては、例えば、貯留部３２の底に多数の滲出用の開口４０（図５参照）を備えていて、開口４０の下側に当接しているフェルト部材３６ｆに油が自重で滲出する構成にすることで、簡単な構成で貯留部３２の油を自重で滲出させてガイドレール１６に塗布することができる。
【００３０】
また、油滲出構造３８では、上述したように、貯留部３２の底の内側に滲出速度調整用のシート状部材を配置することや、開口４０の開口面積が可変になっている構成にすることで、滲出する油が多すぎたり少なすぎたりする場合があっても、簡単な調整でこのような不具合を充分に解消することができる。
【００３１】
あるいは、貯留部３２の底部に配置可能で、開口４０の寸法が互いに異なる複数種の板材を予め用意しておき、滲出速度を低下させたい場合に、この板材のうち適度な開口寸法を有する板材を貯留部３２の底側に入れてもよい。
【００３２】
また、エスカレータ１０は、給油器２８の後部側に、ガイドレール１６を清掃する清掃部材５０を備えてもよい。これにより、ガイドレール１６に小石等が載ることで踏段１２の移動時に異音が発生するコールバックを防止することができる。
【００３３】
また、給油器２８に油量を検出するセンサを配置し、貯留部３２の油量が規定値以下になると遠隔でエスカレータ機械室Ｒなどに知らせる構成にしてもよい。これにより、定期的に給油器２８の油量を調べなくても、油量が規定値以下になったことをエスカレータ機械室Ｒなどで認識することができる。
【００３４】
以上、実施形態を説明したが、この実施形態は、例として提示したものであり、発明の範囲はそれらに限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００３５】
１０…エスカレータ、１２…踏段、１２ｓ…特定の踏段、１４…後輪、１６…ガイドレール、１８…貯留・塗布手段、２２…踏板、２４…補充手段、２８…給油器、３０…油流入口、３２…貯留部、３４…アングル、３６…油塗布部材、３６ｆ…フェルト部材、３８…油滲出構造、４０…開口、４２…踏段支え、４４…前輪、４６…接続口、４８…油補充ライン、５０…清掃部材、Ｆ…前方、Ｌ…油、Ｐ…設定位置、Ｒ…エスカレータ機械室。
【図１】
2019006598.tif 000003
【図２】
2019006598.tif 000004
【図３】
2019006598.tif 000005
【図４】
2019006598.tif 000006
【図５】
2019006598.tif 000007
【手続補正書】
【提出日】平成30年7月18日(2018.7.18)
【手続補正１】
【補正対象書類名】特許請求の範囲
【補正対象項目名】全文
【補正方法】変更
【補正の内容】
【特許請求の範囲】
【請求項１】
無端状に連結された多数の踏段と、
前記踏段の後輪が当接するガイドレールと、
前記踏段のうち特定の踏段の後部側に取付けられ、潤滑用の油を貯留するとともに貯留した油を前記ガイドレールに塗布する貯留・塗布手段と、
前記特定の踏段に踏板を装着したまま前記貯留・塗布手段へ油を補充可能な補充手段とを備え、
前記貯留・塗布手段は、
前記補充手段が接続して油が流入する油流入口と、該油流入口から流入した油を貯留する貯留部と、有する給油器と、
前記給油器と前記踏段とを、前記踏段の進行方向に直交する軸回りに回動可能なように連結するアングルと、
を備えることを特徴とするエスカレータ。
【請求項２】
前記給油器は、
給油器底側に取り付けられて前記ガイドレールに接触する油塗布部材と、
前記貯留部から油を前記油塗布部材へ滲み出させる油滲出構造と
を備えることを特徴とする請求項１に記載のエスカレータ。
【請求項３】
前記油滲出構造では、油の滲出速度が調整可能であることを特徴とする請求項２に記載のエスカレータ。
【請求項４】
前記補充手段は、エスカレータ機械室に備えられ、
前記給油器が該エスカレータ機械室の設定位置に位置するときに前記補充手段から前記油流入口へ油が補充可能であることを特徴とする請求項２または３に記載のエスカレータ。
【請求項５】
前記給油器の後部側に、前記ガイドレールを清掃する清掃部材を備えることを特徴とする請求項２〜４の何れか１項に記載のエスカレータ。